(57)【要約】      （修正有）【課題】複数の釣用仕掛けを巻き取った場合、巻き取った順番にかかわらず、任意の釣用仕掛けを容易に繰り出すことができる釣用仕掛け巻取器を提供する。【解決手段】外周部に釣用仕掛けを巻き取る巻取凹部５を備えた巻取器本体３と、上記巻取凹部５に設けられ巻き取られる釣用仕掛けを保持する保持ブラシ２１と、を具備したものであり、先に巻き取られた釣用仕掛けが後から巻き取られた釣用仕掛けによって押さえ付けられることはなく、その結果、巻き取った順番にかかわらず、任意の釣用仕掛けを容易に繰り出すことができる。【選択図】図７
2019103461.tif 000002
【特許請求の範囲】
【請求項１】
外周部に釣用仕掛けを巻き取る巻取凹部を備えた巻取器本体と、
上記巻取凹部に設けられ巻き取られる釣用仕掛けを保持する保持ブラシと、
を具備したことを特徴とする釣用仕掛け巻取器。
【請求項２】
請求項１記載の釣用仕掛け巻取器において、
上記保持ブラシは上記巻取凹部の深さ方向所定領域に設けられていることを特徴とする釣用仕掛け巻取器。
【請求項３】
請求項２記載の釣用仕掛け巻取器において、
上記保持ブラシは上記巻取凹部の深さ方向全領域に設けられていることを特徴とする釣用仕掛け巻取器。
【請求項４】
請求項１〜請求項３の何れかに記載の釣用仕掛け巻取器において、
上記保持ブラシは上記巻取凹部の両内側面側から中央に向けて張り出されていることを特徴とする釣用仕掛け巻取器。
【請求項５】
請求項４記載の釣用仕掛け巻取器において、
上記保持ブラシは上記巻取凹部の両内側面側から中央に向けて水平に張り出されていることを特徴とする釣用仕掛け巻取器。
【請求項６】
請求項１〜請求項５の何れかに記載の釣用仕掛け巻取器において、
上記保持ブラシは周方向等間隔の複数箇所に設けられていることを特徴とする釣用仕掛け巻取器。
【請求項７】
請求項１〜請求項６の何れかに記載の釣用仕掛け巻取器において、
上記巻取凹部は放射方向外方に向けて拡幅されていることを特徴とする釣用仕掛け巻取器。
【請求項８】
請求項１〜請求項７の何れかに記載の釣用仕掛け巻取器において、
上記巻取器本体には上記釣用仕掛けの針を係止させる軟質の針係止部が設けられていることを特徴とする釣用仕掛け巻取器。
【請求項９】
請求項１〜請求項８の何れかに記載の釣用仕掛け巻取器において、
上記巻取器本体には上記釣用仕掛けのハリス端を係止させるハリス端係止部が設けられていることを特徴とする釣用仕掛け巻取器。
【発明の詳細な説明】
【技術分野】
【０００１】
本発明は、釣用仕掛けを巻き取って保持する釣用仕掛け巻取器に係り、特に、複数の釣用仕掛けを巻き取った場合、巻き取った順番にかかわらず、任意の釣用仕掛けを容易に繰り出すことができるように工夫したものに関する。
【背景技術】
【０００２】
従来の釣用仕掛け巻取器を開示するものとして、例えば、特許文献１がある。
まず、特許文献１に記載された考案による「釣り用仕掛け巻」の場合には、釣り糸の基端の釣り針を釣り針保護空間に設けられたストッパーに引っ掛け、釣り糸を基端用の切欠き溝に通して短円柱に巻き取り、釣り糸の先端を切欠き溝を通して釣り針保護空間に引き込んでストッパーに引っ掛けて固定する。
【０００３】
なお、特許文献１以外に、同種の釣り用仕掛け巻取器を開示するものとして、特許文献２、特許文献３、特許文献４、等がある。
【先行技術文献】
【特許文献】
【０００４】
【特許文献１】実用新案登録第２５６９３２１号公報
【特許文献２】特開２００３−２１００９１号公報
【特許文献３】特開２００６−２８０２９１号公報
【特許文献４】特開２００２−２０９４９０号公報
【発明の概要】
【発明が解決しようとする課題】
【０００５】
上記従来の構成によると、次のような問題があった。
すなわち、特許文献１に記載された発明の場合、通常は１個の釣り用仕掛け巻に１個の釣り用仕掛けを巻き取るようであるが、携帯する釣り用仕掛け巻の個数を減らすために、１個の釣り用仕掛け巻に複数の釣り用仕掛けを巻き取りたい場合がある。その際、後から巻き取った外周側の釣り用仕掛けによって先に巻き取られた内側の釣り用仕掛けが押さえ付けられた状態になってしまい、内側の釣り用仕掛けを外側の釣り用仕掛けよりも先に繰り出すことができないという問題があった。
【０００６】
これは、特許文献２、特許文献３、特許文献４に記載された発明の場合も同様である。
【０００７】
本発明はこのような点に基づいてなされたものでその目的とするところは、複数の釣用仕掛けを巻き取った場合、巻き取った順番にかかわらず、任意の釣用仕掛けを容易に繰り出すことができる釣用仕掛け巻取器を提供することにある。
【課題を解決するための手段】
【０００８】
上記目的を達成するべく本願発明の請求項１による釣用仕掛け巻取器は、外周部に釣用仕掛けを巻き取る巻取凹部を備えた巻取器本体と、上記巻取凹部に設けられ巻き取られる釣用仕掛けを保持する保持ブラシと、を具備したことを特徴とするものである。
又、請求項２による釣用仕掛け巻取器は、請求項１記載の釣用仕掛け巻取器において、上記保持ブラシは上記巻取凹部の深さ方向所定領域に設けられていることを特徴とするものである。
又、請求項３による釣用仕掛け巻取器は、請求項２記載の釣用仕掛け巻取器において、上記保持ブラシは上記巻取凹部の深さ方向全領域に設けられていることを特徴とするものである。
又、請求項４による釣用仕掛け巻取器は、請求項１〜請求項３の何れかに記載の釣用仕掛け巻取器において、上記保持ブラシは上記巻取凹部の両内側面側から中央に向けて張り出されていることを特徴とするものである。
又、請求項５による釣用仕掛け巻取器は、請求項４記載の釣用仕掛け巻取器において、上記保持ブラシは上記巻取凹部の両内側面側から中央に向けて水平に張り出されていることを特徴とするものである。
又、請求項６による釣用仕掛け巻取器は、請求項１〜請求項５の何れかに記載の釣用仕掛け巻取器において、上記保持ブラシは周方向等間隔の複数箇所に設けられていることを特徴とするものである。
又、請求項７による釣用仕掛け巻取器は、請求項１〜請求項６の何れかに記載の釣用仕掛け巻取器において、上記巻取凹部は放射方向外方に向けて拡幅されていることを特徴とするものである。
又、請求項８による釣用仕掛け巻取器は、請求項１〜請求項７の何れかに記載の釣用仕掛け巻取器において、上記巻取器本体には上記釣用仕掛けの針を係止させる軟質の針係止部が設けられていることを特徴とするものである。
又、請求項９による釣用仕掛け巻取器は、請求項１〜請求項８の何れかに記載の釣用仕掛け巻取器において、上記巻取器本体には上記釣用仕掛けのハリス端を係止させるハリス端係止部が設けられていることを特徴とするものである。
【発明の効果】
【０００９】
以上述べたように本願発明の請求項１による釣用仕掛け巻取器によると、外周部に釣用仕掛けを巻き取る巻取凹部を備えた巻取器本体と、上記巻取凹部に設けられ巻き取られる釣用仕掛けを保持する保持ブラシと、を具備した構成になっているので、複数の釣り用仕掛けを緩く巻き取った状態で上記保持ブラシに保持させることができ、その際、先に巻き取られた釣用仕掛けが後から巻き取られた釣用仕掛けによって押さえ付けられることはなく、その結果、巻き取った順番にかかわらず、任意の釣用仕掛けを容易に繰り出すことができる。
又、請求項２による釣用仕掛け巻取器によると、請求項１記載の釣用仕掛け巻取器において、上記保持ブラシは上記巻取凹部の深さ方向所定領域に設けられているので、上記釣用仕掛けの巻き取り時の緩さ加減に関係なく確実に保持させることができる。
又、請求項３による釣用仕掛け巻取器によると、請求項２記載の釣用仕掛け巻取器において、上記保持ブラシは上記巻取凹部の深さ方向全領域に設けられているので、上記釣用仕掛けの巻き取り時の緩さ加減に関係なくより確実に保持させることができる。
又、請求項４による釣用仕掛け巻取器によると、請求項１〜請求項３の何れかに記載の釣用仕掛け巻取器において、上記保持ブラシは上記巻取凹部の両内側面側から中央に向けて張り出されているので、上記釣用仕掛けの巻き取り・繰り出しが容易である。
又、請求項５による釣用仕掛け巻取器によると、請求項４記載の釣用仕掛け巻取器において、上記保持ブラシは上記巻取凹部の両内側面側から中央に向けて水平に張り出されているので、上記保持ブラシの巻き取り・繰り出しがさらに容易となる。
又、請求項６による釣用仕掛け巻取器によると、請求項１〜請求項５の何れかに記載の釣用仕掛け巻取器において、上記保持ブラシは周方向等間隔の複数箇所に設けられているので、上記釣用仕掛けを緩く巻き取った状態で確実に保持することができる。
又、請求項７による釣用仕掛け巻取器によると、請求項１〜請求項６の何れかに記載の釣用仕掛け巻取器において、上記巻取凹部は放射方向外方に向けて拡幅されているので、上記釣用仕掛けの巻き取り・繰り出しが容易である。
又、請求項８による釣用仕掛け巻取器によると、請求項１〜請求項７の何れかに記載の釣用仕掛け巻取器において、上記巻取器本体には上記釣用仕掛けの針を係止させる軟質の針係止部が設けられているので、上記釣用仕掛けを確実に保持することができるとともに、上記釣用仕掛けの針による怪我を防止することができる。
又、請求項９による釣用仕掛け巻取器によると、請求項１〜請求項８の何れかに記載の釣用仕掛け巻取器において、上記巻取器本体には上記釣用仕掛けのハリス端を係止させるハリス端係止部が設けられているので、上記釣用仕掛けを確実に保持することができる。
【図面の簡単な説明】
【００１０】
【図１】本発明の一実施の形態を示す図で、釣用仕掛け巻取器の斜視図である。
【図２】本発明の一実施の形態を示す図で、釣用仕掛け巻取器の正面図である。
【図３】本発明の一実施の形態を示す図で、釣用仕掛け巻取器の右側面図である。
【図４】本発明の一実施の形態を示す図で、図２のＩＶ−ＩＶ断面図である。
【図５】本発明の一実施の形態を示す図で、図５（ａ）は図２のＶａ−Ｖａ断面図、図５（ｂ）は図５（ａ）のＶｂ部分の拡大図である。
【図６】本発明の一実施の形態の説明に使用した図で、釣り具全体の構成を示す正面図である。
【図７】本発明の一実施の形態を示す図で、釣用仕掛け巻取器に釣用仕掛けを巻き取った状態を示す斜視図である。
【図８】本発明の一実施の形態を示す図で、釣用仕掛け巻取器に釣用仕掛けを巻き取った状態における保持ブラシ及び近傍の一部拡大右側面図である。
【発明を実施するための形態】
【００１１】
以下、図１乃至図８を参照して本発明の一実施の形態について説明する。この一実施の形態による釣用仕掛け巻取器１は、次のような構成となっている。まず、巻取器本体３があり、この巻取機本体３は、図１乃至図３に示すように、略円盤状の部材の円筒部に巻取凹部５が形成された形状をなしている。上記巻取凹部５は、図４に示すように、略Ｖ字型の横断面形状をなしており、放射方向外方に向けて拡幅されている。また、上記巻取凹部５の両側は鍔部６、６となっている。
【００１２】
また、図２に示すように、上記巻取器本体３の鍔部６、６には、複数個のハリス係止用切欠部７が周方向等間隔に形成されている。この一実施の形態の場合には、それぞれの鍔部６、６に１２個のハリス係止用切欠部７が形成されている。
【００１３】
また、図２に示すように、上記巻取器本体３の外周部であって上記ハリス係止用切欠部７の放射方向内方には、複数個の貫通孔９が周方向等間隔で形成されている（この一実施の形態の場合は１６個）。これら複数個の貫通孔９にゴム製の紐体を表側から裏側、裏側から表側に縫うように通すことにより、複数個（この実施の形態の場合には裏表各面８個ずつ、合計１６個）のハリス端固定部１１が設けられている。
【００１４】
また、図３に示すように、上記巻取器本体３の裏表両側（図３中左側及び右側）には、針係止用部材１３、１３が設置されている。これら針係止用部材１３、１３は、例えば、スポンジ製である。
また、図４に示すように、上記巻取器本体３の中央には、貫通孔１５が裏面側から表面側に向かう方向（図４中左右方向）に貫通・形成されていて、上記針係止部材１３、１３の中央にも、貫通孔１７、１７が裏面側から表面側に向かう方向（図４中左右方向）に貫通・形成されている。
【００１５】
また、図１に示すように、上記巻取器本体３の外周側の複数箇所（この実施の形態の場合には９０°毎に４箇所）には、２個一組、４組で合計８個の保持ブラシ２１が設置されている。上記保持ブラシ２１は、ブラシ本体２３と、このブラシ本体２３に植毛された複数本のブラシ毛２５と、から構成されている。
各組の一対の保持ブラシ２１、２１は、図５に示すように、互いのブラシ毛２５、２５を対向させた状態で設置されていて、それぞれのブラシ毛２５、２５は上記巻取凹部５の中央に向けて水平に張り出されている。また、図５に示すように、上記ブラシ毛２５は、上記巻取凹部５の深さ方向（図５（ｂ）中上下方向）全領域に設けられている。また、それぞれの上記保持ブラシ２１、２１のブラシ毛２５、２５の先端は互いに当接している。
【００１６】
ところで、上記釣用仕掛け巻取器１に巻き取られる釣用仕掛け３１は次のようなものである。すなわち、上記釣用仕掛け３１は、図６に示すように、釣具３３に取り付けて使用される。上記釣具３３には、まず、釣竿３５があり、この釣竿３５の基端側（図６中右下側）にはリール３７が設置されている。また、上記釣竿３５には長さ方向に沿って複数（この実施の形態の場合は６個）のリング状のガイド３９が設置されている。上記リール３７には道糸４１が巻き取られており、この道糸４１は上記リール３７から上記複数のガイド３９を通して上記釣竿３５の先端側に繰り出されている上記道糸３７は、例えば、樹脂製である（いわゆるテグス）。
【００１７】
上記道糸４１の先端には天秤４３が連結されている。上記天秤４３は、Ｌ字形状の金属製の天秤棒４５と、この天秤棒４５に取り付けられたこませ籠４７と、このこませ籠４７の下側に取り付けられた錘４９と、から構成されている。上記こませ籠４７内には、図示しないコマセが収容され、このコマセによって図示しない魚をおびき寄せる。また、天秤棒４５の先端には上記釣用仕掛け３１が着脱可能に連結されている。
【００１８】
上記釣用仕掛け３１は、ハリス５３と、このハリス５３の先端側（図６中下端側）に連結された釣針５５と、錘５７と、等から構成されている。上記ハリス５３は、例えば、樹脂製である（いわゆるテグス）。
【００１９】
また、上記釣用仕掛け３１は、対象となる魚に応じて、上記釣針５５の種類や上記ハリス５３の長さ、太さが異なる。
【００２０】
以上の構成を基に図７、図８を参照してその作用を説明する。
まず、釣用仕掛け巻取器１に対する上記釣用仕掛け３１の巻き取りと繰り出しについて説明する。
上記釣用仕掛け３１を上記釣用仕掛け巻取器１に巻き取る場合には、針係止部材１３に上記釣用仕掛け３１の釣針５５を係止させ、上記ハリス５３をハリス係止用切欠部７に引っ掛けて巻取機本体３の巻取凹部５側に引き出して緩く巻き付けていく。このとき、上記ハリス５３は、図８に示すように、上記巻取凹部５の底面ではなく、対向・配置されたブラシ毛２５、２５の間又は何れかのブラシ毛２５の中に緩く巻き取られた状態で保持される。
なお、図８においては、作図の都合上、それぞれの上記保持ブラシ２１、２１のブラシ毛２５、２５の間にわずかに隙間が設けられているが、実際は前記したように上記ブラシ毛２５、２５の先端は互いに当接している。
【００２１】
また、上記ハリス５３のハリス端は上記ハリス係止用切欠部７を介して巻取機本体３の表面側又は裏面側に繰り出され、ハリス端係止部１１の間に挿し込まれて係止される。上記ハリス端が短い場合はそのままとする。
同様にして、複数本の釣用仕掛け３１を上記釣用仕掛け巻取器１に巻き取る。
【００２２】
次に、上記釣用仕掛け巻取器１に巻き取られた釣用仕掛け３１を繰り出す場合について説明する。この場合には上記釣針５５を把持して巻き取られているハリス５３を巻取方向と逆方向に繰り出していくだけでよい。すなわち、上記ハリス５３はブラシ毛２５、２５の間又は何れかのブラシ毛２５の中に緩く巻き取られた状態で保持されているので、巻き取られた順番にかかわらず、任意の釣用仕掛け３１を容易に繰り出すことができる。
【００２３】
次に、この一実施の形態による効果について説明する。
まず、複数の釣用仕掛け３１を巻き取った場合、巻き取った順番にかかわらず、任意の釣用仕掛け３１を容易に繰り出すことができる。これは釣用仕掛け３１を緩く巻き取った状態で、上記保持ブラシ２１、２１のブラシ毛２５、２５の間又は何れかのブラシ毛２５の中に保持するようにしたからであり、後から巻き取った外周側のハリスによって先に巻き取られた内側のハリスが押さえ付けられた状態になっていないからである。
【００２４】
また、図５（ｂ）に示すように、上記ブラシ毛２５は、上記巻取凹部５の深さ方向（図５（ｂ）中上下方向）全領域に設けられているので、巻取時の緩さかげんにかかわらず上記釣用仕掛け３１を確実に保持することができる。
また、上記保持ブラシ２１、２１のブラシ毛２５、２５は上記巻取凹部５の両内側面側（図５（ｂ）中右側又は左側）のそれぞれから中央に向けて水平に張り出されているので、上記釣用仕掛け３１のハリス５３の巻き取り時・繰り出し時の抵抗も小さく作業が容易である。
【００２５】
また、上記保持ブラシ２１、２１の組は、図１、図２に示すように、上記巻取器本体３の外周側の４箇所に周方向等間隔で設置されているので、上記釣用仕掛け３１を緩く巻き取った状態で確実に保持することができる。
また、上記巻取凹部５は、図４に示すように、略Ｖ字型の横断面形状をなしており、放射方向外方（図４中上側又は下側）に向けて拡幅されていて間口が広いので、上記釣用仕掛け３１の上記巻取器本体３への巻き取り・繰り出し作業が容易である。
また、上記巻取器本体３の裏表両側（図３中左側及び右側）には、針係止部材１３、１３が設置されているので、上記釣用仕掛け３１の釣針５５を上記針係止部材１３に引っ掛けることで上記釣用仕掛け３１を確実に保持することができるとともに、上記釣針５５による怪我を防止することができる。
また、上記巻取器本体３には上記釣用仕掛け３１のハリス５３のハリス端を係止させるハリス端係止部１１が設置されているので、上記釣用仕掛け３１を確実に保持することができる。
【００２６】
また、上記巻取器本体３の外周側には、ハリス係止用切欠部７が形成されているので、上記ハリス５３をハリス係止用切欠部７に引っ掛けてから巻取機本体３の巻取凹部５内に緩く巻き付けていくようにすることで、上記ハリス５３が巻取器本体３の外周面側に配されないようにし、上記ハリス５３に対する外力による不用意な脱落を防止して上記釣用仕掛け３１を確実に保持することができる。
【００２７】
尚、本発明は、前記一実施の形態に限定されるものではない。
まず、巻取器本体の形状は、円盤状以外にも、四角形や三角形等の多角形、でもよい。
また、保持ブラシの個数、場所については様々な場合が考えられる。
また、向かい合った保持ブラシのブラシ毛の先端が互い違いになるように配置される場合も考えられる。
また、向かい合った保持ブラシのブラシ毛の先端が互いに少しだけ入り込むようにする場合も考えられる。
また、上記保持ブラシ同士を向い合せて設置する以外にも、上記保持ブラシのブラシ毛の先端が巻取凹部の内面に接触するように設置し、上記ブラシ毛と上記巻取凹部の内面によってハリスを保持するようにしてもよい。
また、ハリス端係止部としては、ゴムによる紐体の他、例えば、上記巻取器本体の表面又は裏面側に設置され、ハリスの端部を上記巻取器本体の表面側又は裏面側に押圧・不勢する板バネ状の部材でもよい。
また、ハリス端係止部の個数もこれを特に限定するものではない。
また、針係止部材は、スポンジの他にも、軟質のゴム製等、様々な場合が考えられる。
その他、図示した構成はあくまで一例である。
【産業上の利用可能性】
【００２８】
本発明は、釣用仕掛けを巻き取って保持する釣用仕掛け巻取器に係り、特に、複数の釣用仕掛けを巻き取った場合、巻き取った順番にかかわらず、任意の釣用仕掛けを容易に繰り出すことができるように工夫したものに関し、特に、海釣用の釣用仕掛けを保持するのに好適である。
【符号の説明】
【００２９】
１  釣用仕掛け巻取器
３  巻取器本体
５  巻取凹部
１１  ハリス端係止部
１３  針係止部
２１  保持ブラシ
３１  釣用仕掛け
【図１】
2019103461.tif 000003
【図２】
2019103461.tif 000004
【図３】
2019103461.tif 000005
【図４】
2019103461.tif 000006
【図５】
2019103461.tif 000007
【図６】
2019103461.tif 000008
【図７】
2019103461.tif 000009
【図８】
2019103461.tif 000010